(57)【要約】【課題】  筐体部に設定されたコネクタ端子部の保護を安価な方法で達成することを目的とする撮像装置の提供。【解決手段】  撮像装置の底部に固定された肩乗せパッドと、該肩乗せパッドの近傍に配設され、前記撮像装置の光軸方向と略平行な側面に備えられたコネクタ端子であって、該コネクタ端子の先端が前記撮像装置の側面より突出している撮像装置において、前記肩乗せパッドと一体的に構成されたコネクタガード部の先端の位置が、前記コネクタ端子の先端の位置より突出していることを特徴とする撮像装置。【選択図】        図１
2007053426.tif 000002
【特許請求の範囲】
【請求項１】
撮像装置の底部に固定された肩乗せパッドと、該肩乗せパッドの近傍に配設され、前記撮像装置の光軸方向と略平行な側面に備えられたコネクタ端子であって、該コネクタ端子の先端が前記撮像装置の側面より突出している撮像装置において、
前記肩乗せパッドと一体的に構成されたコネクタガード部の先端の位置が、前記コネクタ端子の先端の位置より突出していることを特徴とする撮像装置。
【請求項２】
前記肩乗せパッドと一体的に構成されたコネクタガード部が弾性部材で構成されていることを特徴とする請求項１に記載の撮像装置。
【請求項３】
前記コネクタ端子がＢＮＣコネクタであることを特徴とする請求項１または２に記載の撮像装置。
【発明の詳細な説明】
【技術分野】
【０００１】
本発明は肩乗せパッドを備えた撮像装置に関する。
【背景技術】
【０００２】
従来より業務用及びそれに近い用途を目的とした撮像装置は、肩に担いで撮影を行うために、筐体の底部に肩乗せパッドを備えた機種が提供されている。また、外部機器との通信を行うためのコネクタ端子も備えられていて、このようなコネクタ端子は筐体部から外観に露出した形で配置されている。
【０００３】
特にこのようなコネクタ端子の中でも同軸ケーブルの接続はＢＮＣ（Ｂａｙｏｎｅｔ  Ｎｅｉｌｌ  Ｃｏｎｃｅｌｍａｎの略）コネクタとよばれる端子を使用することが多い。このＢＮＣコネクタを使用することで、ケーブルがコネクタから不用意に抜けないようにすることができる。
【０００４】
このＢＮＣコネクタの挿抜の仕方は特殊で、図３ａ，ｂに同軸ケーブルをＢＮＣコネクタへ挿入する方法を示すと、図３ａより同軸ケーブル１２をＢＮＣコネクタ１０に矢印Ａ方向に挿入する。続いてローレット部１３をつまみながら同軸ケーブル１２を矢印Ｂの方向に回転させ、ＢＮＣコネクタ１０に設定されている抜け防止用のピン１１に勘合させることで、同軸ケーブル１２はＢＮＣコネクタ１０から容易に抜けなくなる（図３ｂ）。
【０００５】
ところで撮像装置の使用者が、被写体の動きに応じて迅速に撮像装置を移動させたり、装置の運搬のために携帯して行動したりしたときに、不用意に撮像装置の筐体部が建造物などに接触して衝撃を受けてしまうことがある。このような衝撃からコネクタ端子を保護するために，通常コネクタ端子類はその先端位置が撮像装置の筐体の側面より突出しないように配置されている。
【０００６】
しかしながら、前述のＢＮＣコネクタの場合、コネクタの先端を撮像装置の筐体の側面より突出しないように配置すると（図４ａ）、同軸ケーブル１２を挿入したあとのケーブルを回転させるという動作が困難となる（図４ｂ）。そのためＢＮＣコネクタについては、コネクタ端子の先端部の周囲の形状に、ケーブルを回転させることができる程度の余裕３０を設定する（図４ｃ）。
【０００７】
また、別途プロテクトカバーを設けた撮像装置の提案もなされている（例えば、特許文献１参照）。
【特許文献１】特開平８−２７９９４０号公報
【発明の開示】
【発明が解決しようとする課題】
【０００８】
しかしながら、前記の従来例の構成では、コネクタ端子を外部の衝撃から保護するために
１．別途プロテクトカバーを設けると、この部品自体やこの部品を取り付ける為のネジなどの締結部品、および取り付け工数などが発生してコストアップにつながるおそれがある
２．コネクタ端子の先端が撮像装置の筐体の側面より突出しないように配置する必要があるが、特にＢＮＣコネクタについては、図４ｃのように、同軸ケーブル１２を回転させることができる程度の余裕３０をつくる必要があり、装置が大型化してしまうおそれがある
と言う問題点が挙げられる。なお、図４ａ，ｂ，ｃで２０は撮像装置の筐体の側面である。
【０００９】
本発明は、以上の点に着目して成されたもので、筐体部に設定されたコネクタ端子部の保護を安価な方法で達成できる撮像装置を提供することを目的とする。
【課題を解決するための手段】
【００１０】
上記課題を解決するための手段として本発明では、
１．撮像装置の底部に固定された肩乗せパッドと、該肩乗せパッドの近傍に配設され、前記撮像装置の光軸方向と略平行な側面に備えられたコネクタ端子であって、該コネクタ端子の先端が前記撮像装置の側面より突出している撮像装置において、前記肩乗せパッドと一体的に構成されたコネクタガード部の先端の位置が、前記コネクタ端子の先端の位置より突出していることを特徴とする撮像装置。
【００１１】
２．前記１に記載の肩乗せパッドと一体的に構成されたコネクタガード部が弾性部材で構成されていることを特徴とする撮像装置。
の提案を行う。
【発明の効果】
【００１２】
本発明による、上記の課題を解決するための手段を用いる事で、
１．肩乗せパッドと一体的に構成されたコネクタガード部によってコネクタ端子を外部の衝撃から保護することができるので、別途プロテクトカバーなどの設置が不要となり、プロテクトカバーやプロテクトカバーを取り付ける為のネジなどの締結部品、および取り付け工数などが削減されてコストダウンが可能となる。
【００１３】
２．特にＢＮＣコネクタを用いたとき、コネクタ先端の位置を撮像装置の筐体の側面より突出するように配置しても、コネクタ端子を外部の衝撃から保護することができるので、装置の大型化を防ぐ事ができる。
【００１４】
３．肩乗せパッドと一体的に構成されたコネクタガード部が弾性部材で構成されているので、外部の衝撃を効果的に吸収する事ができる
という効果をもたらす。
【発明を実施するための最良の形態】
【００１５】
以下に本発明に係る実施の形態を説明する。
【実施例１】
【００１６】
図１は本発明による実施の形態を最もよく表した撮像装置の後方斜視図であり、１は撮像装置本体、２は撮像装置の底部に固定された肩乗せパッドであり、発泡ウレタンなどの弾性部材で出来ており、撮像装置本体１を肩に担いだ際にその重さから肩を守っている。７は肩乗せパッド２に一体的に構成されたコネクタガード部、３は撮像レンズ、４は画像表示部であり、撮像装置本体１の使用者は、肩乗せパッド２を肩の上に乗せて撮像装置本体１を保持し、不図示の被写体に撮像レンズ３の光軸を向けて、画像表示装置４に表示される被写体像を確認しながら撮影を行う。
【００１７】
またさらに５は、外部機器との通信を行うための複数のコネクタ端子であり、コネクタ端子５と外部の機器，例えば編集装置や記録装置などに設定されたコネクタ端子にケーブルを挿入する事で、撮像装置本体１と前記外部機器との通信が可能になる。
【００１８】
ここで、撮像装置本体１を矢印６の方向から見たときの図が図２である。
【００１９】
図２より、コネクタ端子５の先端位置は撮像装置本体１の側面より突出しており、さらにコネクタガード部７は、コネクタ端子５の先端位置より突出した形状をしている。
【００２０】
以上のような肩乗せパッドと一体的に構成されたコネクタガード部を設ける事で、コネクタ端子を外部の衝撃から保護するためのプロテクトカバーなどの設置が不要となり、プロテクトカバーやプロテクトカバーを取り付ける為のネジなどの締結部品、および取り付け工数などが削減されてコストダウンが可能となる。
【００２１】
またさらに、ＢＮＣコネクタを使用したとき、ＢＮＣコネクタ端子の先端の位置を撮像装置本体の側面より突出するように配置しても、外部との接触の際には前記コネクタガード部がＢＮＣコネクタ端子より先に当たるので、ＢＮＣコネクタ端子を外部の衝撃から保護することができ、装置の大型化を防ぐ事ができる。
【図面の簡単な説明】
【００２２】
【図１】本発明による実施例を最もよく表した撮像装置本体の後方斜視図
【図２】本発明による実施例の撮像装置を後方より見た図
【図３ａ】同軸ケーブルをＢＮＣコネクタへ挿入する前の図
【図３ｂ】同軸ケーブルをＢＮＣコネクタへ挿入、勘合させた図
【図４ａ】ＢＮＣコネクタ先端を筐体の一側面より凹ませたときの断面図
【図４ｂ】図４ａのＢＮＣコネクタに同軸ケーブルを挿入した断面図
【図４ｃ】ＢＮＣコネクタ先端部の周りの形状を広げた断面図
【符号の説明】
【００２３】
１    撮像装置本体
２    肩乗せパッド
３    撮像レンズ
４    画像表示部
５    コネクタ端子部
１０  ＢＮＣコネクタ
１１  ＢＮＣコネクタの勘合ピン
１２  同軸ケーブル
１３  ローレット
２０  筐体の一側面
３０  同軸ケーブルを回転させるためのスペース
【図１】
2007053426.tif 000003
【図２】
2007053426.tif 000004
【図３ａ】
2007053426.tif 000005
【図３ｂ】
2007053426.tif 000006
【図４ａ】
2007053426.tif 000007
【図４ｂ】
2007053426.tif 000008
【図４ｃ】
2007053426.tif 000009